(57)【要約】【目的】収納位置から室外側張り出し位置への作業ステージの張り出し操作及び室外側張り出し位置から収納位置への収納操作がスムーズに行なえ、張り出し位置において作業ステージを安定に支持できる足場装置を提供する。【解決手段】ベランダＶの上面壁Ｖａと下面壁Ｖｂとの間に、突っ張りポスト２によって足場用主枠１を突っ張り支持するようにした足場装置において、足場用主枠１は、室内側左右突っ張りポスト２及び室外側左右支柱３を有し、足場用主枠１には室内側左右突っ張りポスト２及び室外側左右支柱３の内側所要高さ位置に左右ガイドレール５を設け、両ガイドレール５に案内されて、収納位置と作業位置との間でスライド自在な作業ステージ６を設け、作業ステージ６の先端部と各支柱３の上端部との間に折り畳み自在な斜材７を介設する。【選択図】        図４
2004316354.tif 000002
【特許請求の範囲】
【請求項１】
上下に対向する室外側廊下やベランダ等（以下、ベランダという）の上面壁と下面壁との間に、上下に延びる突っ張りポストによって足場用主枠を突っ張り支持するようにした足場装置において、足場用主枠は、夫々の下端部にキャスターを備えた室内側左右突っ張りポスト及び室外側左右支柱を有し、この足場用主枠には室内側左右突っ張りポスト及び室外側左右支柱の内側所要高さ位置に左右ガイドレールを設け、両ガイドレールに案内されて、足場用主枠内に収納される収納位置と足場用主枠の前面側から室外側へ張り出す作業位置との間でスライド自在な作業ステージを設け、この作業ステージの先端部と左右各支柱の上端部との間に折り畳み自在な斜材を介設してなる足場装置。
【請求項２】
作業ステージは、収納位置及び作業位置において夫々ノブ付きボルトによってガイドレールに固定されるようになっている請求項１に記載の足場装置。
【請求項３】
作業ステージには前面側手摺及び左右側面側手摺を設けてなる請求項１又は２に記載の足場装置。
【請求項４】
前面側手摺及び左右側面側手摺の各手摺は、作業ステージの収納位置において足場用主枠内に収納可能な高さを有する下部固定手摺と、この固定手摺の上部に枢着されて、起立時には足場用主枠より高くなり、作業ステージの収納時には内側に折り畳まれる上部折り畳み手摺と、からなる請求項３に記載の足場装置。
【請求項５】
各手摺の上部折り畳み手摺は、起立時にはノブ付きボルトによって、互いに又は下部固定手摺に固定されるようになっている請求項４に記載の足場装置。
【請求項６】
作業ステージには、前面側幅木及び左右側面側幅木を設けてなる請求項１〜５の何れかに記載の足場装置。
【請求項７】
左右各側面側幅木を、前部固定幅木と、この固定幅木の後端部に枢着した後部折畳幅木とから構成し、後部折畳幅木を前部固定幅木の内側面側に折り畳み可能としてなる請求項６に記載の足場装置。
【請求項８】
足場用主枠には足場板を取り付けてなる請求項１〜７の何れかに記載の足場装置。
【請求項９】
各突っ張りポストは、下端部にキャスターを取り付けた基部ポストと、この基部ポストに伸縮可能に取り付けられた第１伸縮ポストと、この第１伸縮ポストに伸縮可能に取り付けられた第２伸縮ポストと、からなる請求項１〜８の何れかに記載の足場装置。
【請求項１０】
足場用主枠には昇降用の梯子を設けてなる請求項１〜９の何れかに記載の足場装置。
【発明の詳細な説明】
【０００１】
【発明の属する技術分野】
本発明は、マンション等の多階層建物の各階に設けられている玄関側の室外廊下、あるいはベランダ等に設置して、その手摺等の補修や改装作業等を行なう際の足場として使用される足場装置に関する。
【０００２】
【従来の技術】
従来におけるこの種の足場装置は、上下に対向する室外側廊下やベランダの上面壁と下面壁との間に、上下に延びる突っ張りポストにより足場本体を突っ張り支持させ、この足場本体にベランダの室外側に張り出し可能な張り出し枠を設け、この張り出し枠に作業床を設けたものである（例えば、特許文献１参照）。
【０００３】
【特許文献１】
特開平１１−２２３０１２号公報（第２〜第６頁、図１〜図１０）
【０００４】
【発明が解決しようとする課題】
上記従来の足場装置では、張り出し枠を足場本体内の収納位置から室外側の張り出し位置へ張り出す操作がスムーズに行なえない上に、張り出し枠が張り出し位置において不安定な状態となるなど、未だ使用勝手が悪いといった問題があった。
【０００５】
本発明は、上記の課題に鑑み、収納位置から室外側張り出し位置への作業ステージの張り出し操作及び室外側張り出し位置から収納位置への収納操作がスムーズに行なえると共に、張り出し位置において作業ステージを安定状態に支持できる足場装置を提供することを目的とする。
【０００６】
【課題を解決するための手段】
請求項１に係る発明は、上下に対向する室外側廊下やベランダ等（以下、ベランダＶという）の上面壁Ｖａと下面壁Ｖｂとの間に、上下に延びる突っ張りポスト２によって足場用主枠１を突っ張り支持するようにした足場装置において、足場用主枠１は、夫々の下端部にキャスター４を備えた室内側左右突っ張りポスト２，２及び室外側左右支柱３，３を有し、この足場用主枠１には室内側左右突っ張りポスト２，２及び室外側左右支柱３，３の内側所要高さ位置に左右ガイドレール５を設け、両ガイドレール５，５に案内されて、足場用主枠１内に収納される収納位置と足場用主枠１の前面側から室外側へ張り出す作業位置との間でスライド自在な作業ステージ６を設け、この作業ステージ６の先端部と左右各支柱３の上端部との間に折り畳み自在な斜材７を介設してなることを特徴とする。
【０００７】
請求項２は、請求項１に記載の足場装置において、作業ステージ６は、収納位置及び作業位置において夫々ノブ付きボルト２５，２６によってガイドレール５に固定されるようになっていることを特徴とする。
【０００８】
請求項３は、請求項１又は２に記載の足場装置において、作業ステージ６には前面側手摺３１及び左右側面側手摺３２を設けてなることを特徴とする。
【０００９】
請求項４は、請求項３に記載の足場装置において、前面側手摺３１及び左右側面側手摺３２の各手摺は、作業ステージ６の収納位置において足場用主枠１内に収納可能な高さを有する下部固定手摺３１ａ，３２ａと、この固定手摺３１ａ，３２ａの上部に枢着されて、起立時には足場用主枠１より高くなり、作業ステージ６の収納時には内側に折り畳まれる上部折り畳み手摺３１ｂ，３２ｂと、からなることを特徴とする。
【００１０】
請求項５は、請求項４に記載の足場装置において、各手摺３１，３２の上部折り畳み手摺３１ｂ，３２ｂは、起立時にはノブ付きボルト３３によって、互いに又は下部固定手摺３１ａ，３２ａに固定されるようになっていることを特徴とする。
【００１１】
請求項６は、請求項１〜５の何れかに記載の足場装置において、作業ステージ６には、前面側幅木３７及び左右側面側幅木３８，３８を設けてなることを特徴とする。
【００１２】
請求項７は、請求項６に記載の足場装置において、左右各側面側幅木３８を、前部固定幅木３８ａと、この固定幅木３８ａの後端部に枢着した後部折畳幅木３８ｂとから構成し、後部折畳幅木３８ｂを前部固定幅木３８ａの内側面側に折り畳み可能としてなることを特徴とする。
【００１３】
請求項８は、請求項１〜７の何れかに記載の足場装置において、足場用主枠１には足場板６６を取り付けてなることを特徴とする。
【００１４】
請求項９は、請求項１〜８の何れかに記載の足場装置において、各突っ張りポスト２は、下端部にキャスター４を取り付けた基部ポスト１０と、この基部ポスト１０に伸縮可能に取り付けられた第１伸縮ポスト１１と、この第１伸縮ポスト１１に伸縮可能に取り付けられた第２伸縮ポスト１２と、からなることを特徴とする。
【００１５】
請求項１０は、請求項１〜９の何れかに記載の足場装置において、足場用主枠１には昇降用の梯子Ｈ１，Ｈ２を設けてなることを特徴とする。
【００１６】
図１は本発明に係る足場装置を示す斜視図で、作業ステージ６が収納位置にある状態を示し、図２は足場装置の使用状態を示す斜視図である。図３は足場装置をベランダＶに設置した状態での側面図、図４はベランダＶに設置した足場装置の作業ステージ６を作業位置に張り出した状態での側面図、図５は使用状態の足場装置をベランダＶの室内側から見た正面図、図６は同足場装置をベランダＶの室外側から見た正面図、図７は同足場装置の平面図である。また図８の▲１▼〜▲４▼は足場装置の作業ステージ６が収納位置から作業位置までスライドする状態を示す説明図である。
【００１７】
これらの図面において、足場用主枠１は、室内側の左右に位置する突っ張りポスト２，２及び室外側の左右に位置する支柱３，３を有し、突っ張りポスト２及び支柱３の夫々下端部にはジャッキ付きキャスター４が装備されている。この足場用主枠１には、図６及び図７から分かるように、室内側左右突っ張りポスト２，２及び室外側左右支柱３，３の内側所要高さ位置に左右ガイドレール５，５が設けられ、左右両ガイドレール５，５に案内されて、足場用主枠１内に収納される収納位置と足場用主枠１の前面側から室外側へ張り出す作業位置との間でスライド自在な作業ステージ６が設けられ、そしてこの作業ステージ６の先端部と左右各支柱３の上端部との間には、作業ステージ６を安定状態に保持すると共にそのスライド動作を補助する折り畳み自在な斜材７が介設されている。
【００１８】
突っ張りポスト２は、図１０から分かるように、下端部にキャスター４を取り付けた基部ポスト１０と、この基部ポスト１０に嵌合される第１伸縮ポスト１１と、この第１伸縮ポスト１１に更に嵌合される第２伸縮ポスト１２とからなり、基部ポスト１０には上端部に支持孔１３が設けられ、第１伸縮ポスト１１にはその長手方向適当間隔に調整孔１４が設けられ、そのその上端部に固定孔１５が設けられている。また第１伸縮ポスト１１の上端部には雄ねじ部１６が一体に突設され、これに微調整用のジャッキハンドル１７が回転可能に螺合されると共に、雄ねじ部１６は、第２伸縮ポスト１２の下端部の中空部１８に嵌合され、第２伸縮ポスト１２の下端面はジャッキハンドル１７に当接するようになっている。
【００１９】
第２伸縮ポスト１２の上端部にはベランダＶの上面壁Ｖａに当接する突っ張り板１９が壁面に自在に沿うように揺動自在に枢着されている。また、基部ポスト１０の下端部及び室外側左右各支柱３の下端部にはジャッキハンドル８を介してキャスター４が取り付けてあって、このジャッキハンドル８によりキャスター４の接地状態を微調整できるようになっている。
【００２０】
室内側左右突っ張りポスト２，２の基部ポスト１０，１０は、図９の（ａ）に示すように、上下の横桟４１，４２によって一体的に連結され、上下両横桟４１，４２には一対の中縦桟４３，４３が架け渡され、両中縦桟４３，４３には中横桟４４，４４が架け渡され、各基部ポスト１０と各中縦桟４３とには補強桟４５が架け渡されている。ここで、両中縦桟４３，４３と中横桟４４，４４とによって足場用主枠１の後面側昇降用梯子Ｈ１を形成する。また図５、図９の（ａ）、図１０その他の図面において、４６は第２伸縮ポスト１２を挿通支持する支持管で、左右の両支持管４６，４６は、左右両基部ポスト１０，１０の夫々直上方の所定高さ位置で上下横材４７，４８によって連結され、その上横材４８と前記横桟４１とが縦材４９，４９によって連結されている。
【００２１】
室外側左右支柱３，３は、図６及び図９の（ｂ）に示すように、その下部側が上下横桟５１，５２によって一体的に連結され、上下両横桟５１，５２には一対の中縦桟５３，５３が架け渡され、両中縦桟５３，５３には中横桟５４，５４が架け渡され、左右各支柱３と各中縦桟５３とに補強桟５５が架け渡されている。ここで、両中縦桟５３，５３と中横桟５４，５４とによって足場用主枠１の前面側昇降用梯子Ｈ２を形成する。
【００２２】
室内側突っ張りポスト２とこれに対向する室外側支柱３との連結構造については、図１０から分かるように、突っ張りポスト２の基部ポスト１０と室外側支柱３の下部側とに上中下の横桟５６，５７，５８が架け渡され、突っ張りポスト２の支持管４６と室外側支柱３の上部側とに上下横材５９，６０が架け渡され、その下横材６０と上横桟５６とが縦材６１でつながれ、この縦材６１と室外側支柱３との間には上部側に横桟６２が架け渡され、その下部側には縦材６１及び室外側支柱３の内側にガイドレール５が取付金具６３により架け渡されている。６４は横桟６２とガイドレール５とをつなぐ連結材であり、６５は上下横材５９，６０をつなぐ連結材である。
【００２３】
図１〜図１０に示すように、足場用主枠１を構成する各部材どうしの直角連結部分には、図１２の（ａ）に示す略々Ｖ字形の補強金具４０又は同図の（ｂ）に示す略々三角形の補強金具５０が例えばビスによって取り付けられ、それにより足場用主枠１の構成部材どうしがきわめて強固に連結された剛体構造となっている。
【００２４】
作業ステージ６は、図１４に示すように、ステージ本体６ａと、ステージ本体６ａの後端部に折畳用ヒンジ２０，２０によってステージ本体６ａの上面側に折り畳み可能に枢着された後部ステージ６ｂと、からなる。この作業ステージ６を足場用主枠１内の収納位置と足場用主枠１の前面側から室外側へ張り出す作業位置との間で案内するガイドレール５，５は、室内側左右突っ張りポスト２，２及び室外側左右支柱３，３の内側所要高さ位置に取付金具６３によって水平に取り付けられている（図９、図１７参照）。このガイドレール５は、図１３及び図１７の（ｂ）  に示すように、内外側壁５ａ，５ｂと底壁５ｃとからなる断面コ字状に形成されると共に、内側壁５ａの上端にはフランジ片２１が内向きに突設され、またこのガイドレール５には複数個のゴム製ガイド輪２２がレール上端から若干突出するように軸着されている。
【００２５】
図１７の（ａ）  は、図４に示すような作業位置にある作業ステージ６及びこれを案内するガイドレール５の側面図、（ｂ）  は（ａ）  のＣ−Ｃ拡大断面図である。この図面を参照して、作業ステージ６は、下面の左右両端側に夫々設けられたガイド溝２３にガイドレール５のガイド輪２２を嵌め込ませると共に、ガイドレール５のフランジ片２１を、ガイド溝２３に設けられた断面Ｌ字状係合片２４に係合させた状態で、ガイドレール５にスライド自在に取り付けられている。この場合、図１７の（ｂ）  から分かるように、作業ステージ６は、ゴム製のガイド輪２２に載置されると共にフランジ片２１とＬ字状係合片２４との係合によって横方向の移動を規制されながら、水平方向に円滑に走行案内されるようになっている。
【００２６】
作業ステージ６は、上記のようなガイドレール５だけでは、特に作業位置において安定状態に支持され得ない。この作業ステージ６を作業位置で安定状態に保持すると共にそのスライド動作を補助するものが折り畳み自在な斜材７である。この折り畳み自在な斜材７は、図１〜図７に示すように作業ステージ６の左右両側に配置されるもので、枢支ピンＯによって互いに屈折自在に枢支連結された２つのリンク７ａ，７ｂからなり、一方のリンク７ａの端部はピンＰで室外側左右支柱３の上端部に枢着され、他方のリンク７ｂの端部はピンＱで作業ステージ６の先端部に枢着されている（図４参照）。
【００２７】
図１４、図１７〜図２０に示すように、作業ステージ６のステージ本体６ａには収納位置で作業ステージ６をガイドレール５に固定するためのノブ付きボルト２５が、また後部ステージ６ｂには作業位置で作業ステージ６をガイドレール５に固定するためのノブ付きボルト２６が夫々設けられ、そして各ボルト２５に螺合するナット２７がガイドレール５の所要部に取り付けてある。また、作業ステージ６の後部ステージ６ｂをステージ本体６ａと平行延ばしたままロックするロックピン２８がステージ本体６ａ側に設けてある。尚、ノブ付きボルト２５，２６は、後述する手摺用のノブ付きボルト３３と同様な構造である（図１６の（ｃ）参照）。
【００２８】
上記ロックピン２８は、図１８の（ｂ）  に示すような略Ｌ字状に形成されたもので、その基端部２８ａがステージ本体６ａ側に回転自在に挿入されると共にコイルバネ２９でステージ本体６ａ側に引き込まれるように付勢されており、従って後部ステージ６ｂをステージ本体６ａと平行に延ばしてロックする時には図１８の（ｂ）  に示すようにロックピン２８の先端係止部２８ｂを後部ステージ６ｂ側のピン穴３０に係入すればよく、また後部ステージ６ｂを図２０に示すようにステージ本体６ａ側に折り畳み時にはロックピン２８をコイルバネ２９に抗して外側へ引っ張って先端部２８ｂをピン穴３０から抜けば、ロック解除される。
【００２９】
図１８は、後部ステージ６ｂをステージ本体６ａと平行に延ばしてロックピン２８でロックした作業ステージ６を、作業位置においてノブ付きボルト２６でガイドレール５に固定した状態を示す。図１９は、同じく後部ステージ６ｂをステージ本体６ａと平行に延ばしてロックピン２８でロックした作業ステージ６を、ノブ付きボルト２６による固定解除後に収納位置側へスライドさせた状態を示している。また図２０は、図１９に示す状態でロックピン２８を抜いて後部ステージ６ｂをステージ本体６ａ側に反転して折り畳んだ状態を示す。そして、この図２０に示す状態から、作業ステージ６を更に図面の左方へスライドして収納位置まで後退させ、その位置でノブ付きボルト２５をガイドレール５側のナット２７に螺合することによって作業ステージ６を収納位置に固定することができる。
【００３０】
また、作業ステージ６には、前面側手摺３１及び左右側面側手摺３２，３２が設けられている。前面側手摺３１及び左右側面側手摺３２，３２の各々は、作業ステージ６の収納位置において足場用主枠１内に収納できる最大限の高さを有する下部固定手摺３１ａ，３２ａと、この固定手摺３１ａ，３２ａの上部にヒンジ３４（図１５参照）により枢着されていて、起立時には足場用主枠１より高くなるため収納できず、作業ステージ６の収納時には内側に折り畳まれる上部折り畳み手摺３１ｂ，３２ｂと、から構成されている。従って、このような前面側手摺３１及び左右側面側手摺３２，３２によれば、作業時には、作業ステージ６の周囲に十分な高さの手摺が確保されるから、作業ステージ６での作業をより安全に行うことができ、また作業が終われば、上部折り畳み手摺３１ｂ，３２ｂを折り畳んで足場用主枠１内にコンパクトに収納することができる。
【００３１】
図１５の（ａ）  は左右側面側手摺３２を示す正面図、（ｂ）  は前面側手摺３１を示す正面図である。また図１６の（ａ）  は手摺３１，３２の平面図であり、（ｂ）  は図１５の（ａ）  のＥ−Ｅ線拡大断面図である。これら図面から分かるように、各手摺３１，３２の上部折り畳み手摺３１ｂ，３２ｂは、起立時にはノブ付きボルト３３によって下部固定手摺３１ａ，３２ａに固定され、また前面側手摺３１の上部折り畳み手摺３１ｂと側面側手摺３２の上部折り畳み手摺３２ｂとがノブ付きボルト３３によって互いに固定されるようになっている。
【００３２】
ノブ付きボルト３３は、図１６の（ｃ）  に示すように、ノブ３３ｂを固着したボルト３３ａと、このボルト３３ａの基端側に嵌め込まれるコイルバネ３３ｃと、上部折り畳み手摺３１ｂ，３２ｂに形成したボルト挿通孔の途中に設けられたナット３３ｄと、下部固定手摺３１ａ，３２ａ（あるいは上部折り畳み手摺３２ｂ，３１ｂ）の内部に設けられたナット３３ｅと、からなるもので、ノブ３３ｂを固着したボルト３３ａを、図示のように上部折り畳み手摺３２ｂ内のナット３３ｅに螺合貫通させて、その先端部を上部折り畳み手摺３１ｂに螺合して締めつけることによって、例えば前面側手摺３１の上部折り畳み手摺３１ｂと側面側手摺３２の上部折り畳み手摺３２ｂとを互いに連結固定することができる。
【００３３】
尚、下部固定手摺３１ａ，３２ａの手摺支柱３４，３５は、図１４に概略示すように作業ステージ６の所要位置に設けられた手摺支柱取付管３６に嵌合されることによって、作業ステージ６上に立設されるようになっている。
【００３４】
また、作業ステージ６の周辺には、作業中に作業ステージ６からの作業道具等の落下を防止するための前面側幅木３７及び左右側面側幅木３８，３８が設けられ、前面側幅木３７は、図７及び図１４から分かるように、作業ステージ６のステージ本体６ａの前端部に固定的に立設されている。左右各側面側幅木３８は、図１５の（ａ）  ，（ｂ）  及び図１６の（ａ）  ，（ｂ）  に示すように、下部固定手摺３１ａ，３２ａの手摺支柱３４，３５に取り付けられて起立姿勢にある前部固定幅木３８ａと、この前部固定幅木３８ａの後端部に折畳ヒンジ３９で枢着された後部折畳幅木３８ｂとから構成され、後部折畳幅木３８ｂは前部固定幅木３８ａの内側面側に折り畳まれるようになっている。このように各側面側幅木３８が折り畳み構造となっているから、作業ステージ６を足場用主枠１内にコンパクトに収納することができる。
【００３５】
また、図１、図２、図５及び図７に示すように、足場用主枠１には足場板６６が取り付けられているから、ベランダＶから足場用主枠１に、また足場用主枠１から張り出された作業ステージ６に容易に乗り移ることができるようになっている。この足場板６６は、図１１の（ａ）に示すように、室内側左右突っ張りポスト２，２の基部ポスト１０，１０をつなぐ横桟４１と、室外側左右支柱３，３をつなぐ横桟５１とに亘って架け渡されている。
【００３６】
上述のように構成される足場装置の使用においては、図３〜図５に示すように、足場用主枠１の突っ張りポスト２の第１伸縮ポスト１１を基部ポスト１０に対して、第１伸縮ポスト１１に嵌合してある第２伸縮ポスト１２の上端部の突っ張り板１９がベランダＶの上面壁Ｖａにほぼ当接する位置まで伸長させて、その位置で基部ポスト１０の支持孔１３と第１伸縮ポスト１１の調整孔１４とに亘って調整ピン６７を挿入し、第１伸縮ポスト１１を伸長状態に維持させる。次に、第１伸縮ポスト１１の雄ねじ部１６（図１０参照）に螺合されているジャッキハンドル１７を水平に伸ばして回転させることにより、このハンドル１７に当接する第２伸縮ポスト１２をジャッキ作用によって上動させ、第２伸縮ポスト１２の上端部の突っ張り板１９をベランダＶの下面壁Ｖｂに圧接させて、足場用主枠１をベランダＶの上面壁Ｖａと下面壁Ｖｂとの間に堅固に突っ張り支持させる。またこの時、キャスター４側のジャッキハンドル８を回転させてキャスター４の接地状態を調整することができる。
【００３７】
こうして突っ張りポスト２によって足場用主枠１をベランダＶの上面壁Ｖａと下面壁Ｖｂとの間に突っ張り支持させた状態で、作業ステージ６をガイドレール５と斜材７とにより足場用主枠１内に収納された収納位置から図４に示すような室外側の収納位置まで水平にスライドさせて張り出させる。この作業ステージ６が収納位置から作業位置に張り出される一連のスライド張り出し動作状態を図８の▲１▼〜▲４▼に示す。
【００３８】
図８の▲１▼は、作業ステージ６が足場用主枠１内に収納された収納位置を示す。▲２▼は作業ステージ６を収納位置から室外側へスライドさせて張り出す途中の状態を示す。この▲２▼と同じ状態が図２０に示される。この張り出し途中の状態において、それまで折り畳んでいた前面側手摺３１及び左右側面側手摺３２の上部折り畳み手摺３１ｂ，３２ｂを起立させると共に、左右各側面側幅木３８の後部折畳幅木３８ｂを展開させ、更にそれまで折り畳んでいた作業ステージ６の後部ステージ６ｂをステージ本体６ａと面一状態に展開させ、▲３▼に示す状態とする。▲４▼は、作業ステージ６が作業位置までスライドして張り出しを完了した状態を示す。この▲４▼と同じ状態が図１８の（ａ）  に示される。
【００３９】
上記のように作業ステージ６が図８の▲１▼に示す収納位置から▲４▼に示す作業位置までスライドする間に、足場用主枠１の左右支柱３上端部と作業ステージ６の先端部とに亘って架け渡された折り畳み自在な斜材７を構成する２つのリンク７ａ，７ｂは、収納位置でのくの字形態から、両リンク７ａ，７ｂの成す角度を次第に広げながら、最終的に作業位置で同一直線状に伸長することになり、これによって作業ステージ６の水平方向スライド動作を安定状態で円滑に行わせると共に、作業位置において作業ステージ６を安定状態に保持することができる。
【００４０】
上記のようにして作業ステージ６が作業位置に固定された状態で、作業者は、足場用主枠１の後面側昇降用梯子Ｈ１によって上段側足場板６６に上がり、この足場板６６から作業ステージ６に乗り移り、しかして作業ステージ６上においては周囲に配設された前面側手摺３１及び左右側面側手摺３２，３２に保護されながら建物の外壁やベランダＶの修理作業等を容易に且つ安全に行うことができる。勿論、足場用主枠１に設けてある足場板６６の位置からもベランダＶの上面壁Ｖａ等の修理作業等を行うこともできる。また作業ステージ６に設けてある前面側幅木３７及び左右側面側幅木３８，３８によって、作業中に作業ステージ６からの作業道具等が落下するのを防止できて、作業上の安全を確保できる。
【００４１】
作業終了後には、作業ステージ６に設けてある左右側面側幅木３８の後部折畳幅木３８ｂを折り畳み（図７参照）、また前面側手摺３１及び左右側面側手摺３２の上部折り畳み手摺３１ｂ，３２ｂを図１に示すように折り畳んだ後、作業ステージ６を作業位置から収納位置の途中までスライドさせ、その途中で作業ステージ６の後部ステージ６ｂをステージ本体６ａ側に折り畳み（図８の▲２▼参照）、この状態で作業ステージ６を足場用主枠１内の収納位置までスライドさせて、図３や図８の▲１▼に示す状態とする。
【００４２】
しかる後、突っ張りポスト２を収縮させ、調整ピン６７を基部ポスト１０の支持孔１３と調整孔１４とに挿通させて第２伸縮ポスト１２を基部ポスト１０に固定することによって、足場用主枠１は、図１に示すような嵩低状態となるから、キャスター４によって移動させ、エレベーターに乗せて建物の階上、階下の次の作業現場へ容易に移動することができる。この場合、作業ステージ６の後部ステージ６ｂをステージ本体６ａ側に折り畳むことにより、その長さを短くできて、足場用主枠１の前後幅を極力短くできると共に、作業ステージ６の移動構造にガイドレール５によるスライド方式を採用していることによって、足場用主枠１の高さも極力低くできるから、エレベーターによる搬送を容易に可能とすることができる。
【００４３】
【発明の効果】
請求項１に係る発明の足場装置によれば、足場用主枠が、下端部にキャスターを備えた室内側左右突っ張りポスト及び室外側左右支柱を有し、この足場用主枠には室内側左右突っ張りポスト及び室外側左右支柱の内側所要高さ位置に左右ガイドレールを設け、両ガイドレールに案内されて、足場用主枠内に収納される収納位置と室外側へ張り出す作業位置と間でスライド自在な作業ステージを設け、この作業ステージの先端部と左右各支柱の上端部との間に折り畳み自在な斜材を介設しているから、ガイドレールによって、収納位置から室外側張り出し位置への作業ステージの張り出し操作、及び室外側張り出し位置から収納位置への作業ステージの収納操作をスムーズに行わせることができ、また折り畳み自在な斜材によって、作業ステージの水平方向スライド動作を安定状態で円滑に行わせると共に、作業位置において作業ステージを安定状態に保持することができ、更には作業ステージの強度補強を図ることができる。
【００４４】
請求項２に係る発明の足場装置によれば、作業ステージは、収納位置及び作業位置で夫々ノブ付きボルトによってガイドレールに固定されるから、足場装置の搬送時及び使用時において作業ステージのガタツキや誤動作を防止ことができる。
【００４５】
請求項３に係る発明の足場装置によれば、作業ステージに前面側手摺及び左右側面側手摺を設けているから、作業者は、作業ステージ上において、前面側手摺及び左右側面側手摺に保護されながら作業を安全に行うことができる。
【００４６】
請求項４に係る発明の足場装置によれば、前面側手摺及び左右側面側手摺の各手摺は、足場用主枠内に収納可能な高さを有する下部固定手摺と、この固定手摺の上部に枢着されて、起立時には足場用主枠より高くなり、作業ステージの収納時には内側に折り畳まれる上部折り畳み手摺と、からなるため、作業時には作業ステージの周囲に十分な高さの手摺が確保されて、作業ステージでの作業をより安全に行うことができ、作業が終われば、上部折り畳み手摺を折り畳んで足場用主枠内にコンパクトに収納することができる。
【００４７】
請求項５に係る発明の足場装置によれば、各手摺の上部折り畳み手摺は、起立時にノブ付きボルトによって、互いに又は下部固定手摺に固定されるから、作業時に手摺のガタツキを解消し、不安感を無くすることができる。
【００４８】
請求項６に係る発明の足場装置によれば、作業ステージに設けてある前面側幅木及び左右側面側幅木によって、作業中に作業ステージからの作業道具等が落下するのを防止できて、作業上の安全を確保できる。
【００４９】
請求項７に係る発明の足場装置によれば、左右各側面側幅木を、前部固定幅木と、固定幅木の後端部に枢着した後部折畳幅木とから構成し、後部折畳幅木を前部固定幅木の内側面側に折り畳み可能としているから、作業ステージを足場用主枠内にコンパクトに収納することができる。
【００５０】
請求項８に係る発明の足場装置によれば、足場用主枠には足場板を取り付けているから、ベランダから足場用主枠に、また足場用主枠から張り出された作業ステージに容易に乗り移ることができる。
【００５１】
請求項９に係る発明の足場装置によれば、突っ張りポストは、下端部にキャスターを取り付けた基部ポストと、基部ポストに伸縮可能に取り付けられた第１伸縮ポストと、第１伸縮ポストに伸縮可能に取り付けられた第２伸縮ポストと、からなるため、長尺な突っ張りポストであっても、運搬や保管時にはコンパクトに収納することができる。
【００５２】
請求項１０に係る発明の足場装置によれば、足場用主枠に昇降用の梯子を設けているから、足場用主枠に容易に上ることができる。
【図面の簡単な説明】
【図１】本発明に係る足場装置を示す斜視図で、作業ステージが収納位置にある状態を示す。
【図２】図１に示す足場装置の使用状態を示す斜視図である。
【図３】足場装置をベランダに設置した状態での側面図である。
【図４】ベランダに設置した足場装置の作業ステージを作業位置に張り出した状態での側面図である。
【図５】使用状態の足場装置をベランダ室内側から見た正面図である。
【図６】同足場装置をベランダの室外側から見た正面図である。
【図７】同足場装置の平面図である。
【図８】▲１▼〜▲４▼は足場装置の作業ステージが収納位置から作業位置までスライドする状態を示す説明図である。
【図９】（ａ）  は足場用主枠の基本構造部分を示すベランダ室内側から見た正面図、（ｂ）  はベランダ室外側から見た正面図である。
【図１０】足場用主枠の基本構造部分に突っ張りポストの第１及び第２伸縮ポストを取り付ける状態を示す側面図である。
【図１１】（ａ）  は図９の（ａ）  のＡ−Ａ線拡大断面図、（ｂ）  は図９の（ｂ）  の矢印Ｂから見た側面図である。
【図１２】（ａ）  及び（ｂ）  は補強金具を示す斜視図である。
【図１３】ガイドレールを示す斜視図である。
【図１４】（ａ）  は作業ステージを示す平面図、（ｂ）  は側面図、（ｃ）  は正面図である。
【図１５】（ａ）  は左右側面側手摺を示す正面図、（ｂ）  は前面側手摺を示す正面図である。
【図１６】（ａ）  は左右側面側手摺及び前面側手摺の平面図、（ｃ）  は図１５の（ａ）  の矢印Ｄで示す部分の拡大図である。
【図１７】（ａ）  は図４に示すような作業位置にある作業ステージ及びこれを案内するガイドレールの側面図、（ｂ）  は（ａ）  のＣ−Ｃ拡大断面図である。
【図１８】（ａ）  は作業ステージを作業位置においてノブ付きボルトでガイドレールに固定した状態を示す側面図、（ｂ）  は（ａ）  におけるロックピン取付部の平面図である。
【図１９】作業ステージを収納位置側へスライドさせた状態を示す側面図である。
【図２０】後部ステージをステージ本体側に反転して折り畳んだ状態を示す側面図である。
【符号の説明】
Ｖ                ベランダ
Ｖａ              ベランダの上面壁
Ｖｂ              ベランダの下面壁
１                足場用主枠
２                突っ張りポスト
３                支柱
４                キャスター
５                ガイドレール
６                作業ステージ
７                斜材
１０              基部ポスト
１１              第１伸縮ポスト
１２              第２伸縮ポスト
３１              前面側手摺
３１ａ，３２ａ    下部固定手摺
３１ｂ，３２ｂ    上部折り畳み手摺
３２              左右側面側手摺
３３              ノブ付きボルト
３７              前面側幅木
３８              左右側面側幅木
３８ａ            固定幅木
３８ｂ            後部折畳幅木
【図１】
2004316354.tif 000003
【図２】
2004316354.tif 000004
【図３】
2004316354.tif 000005
【図４】
2004316354.tif 000006
【図５】
2004316354.tif 000007
【図６】
2004316354.tif 000008
【図７】
2004316354.tif 000009
【図８】
2004316354.tif 000010
【図９】
2004316354.tif 000011
【図１０】
2004316354.tif 000012
【図１１】
2004316354.tif 000013
【図１２】
2004316354.tif 000014
【図１３】
2004316354.tif 000015
【図１４】
2004316354.tif 000016
【図１５】
2004316354.tif 000017
【図１６】
2004316354.tif 000018
【図１７】
2004316354.tif 000019
【図１８】
2004316354.tif 000020
【図１９】
2004316354.tif 000021
【図２０】
2004316354.tif 000022